(57)【要約】      （修正有）【課題】燃焼量移行時の空燃比ズレで燃焼が不安定になることを防止する。【解決手段】燃焼用空気を通すバーナダクト１と、燃料ガスを通す燃料ガス供給配管８を持ち、バーナダクト１にはベンチュリミキサ３を設置してベンチュリミキサ部分に燃料ガス供給配管８を接続し、ベンチュリミキサ内に設けた燃料ガス噴射口７から燃料ガスを噴射して燃料ガスと燃焼用空気を混合しており、燃料ガス供給配管８には途中に設置した空燃比例弁６はバーナダクト１に接続した空気圧検出導管４の圧力に対応した開度に調節している空燃比例制御予混合ガスバーナにおいて、一端は空気圧検出導管４に接続し、他端は前記燃料ガス噴射口７より一次側部分に接続した検出空気圧力調節管５を設置し、空気圧検出導管４での圧力はベンチュリミキサ３での圧力変化が加味されるようにする。【選択図】図１
2019174040.tif 000002
【特許請求の範囲】
【請求項１】
送風機からの燃焼用空気を通すバーナダクトと、燃料ガスを通す燃料ガス供給配管を持ち、バーナダクトにはベンチュリミキサを設置してベンチュリミキサ部分に燃料ガス供給配管を接続し、ベンチュリミキサ内に設けた燃料ガス噴射口から燃料ガスを噴射して燃料ガスと燃焼用空気を混合し、バーナヘッド部で予混合ガスを燃焼するようにしている予混合ガスバーナであって、燃料ガス供給配管には途中に空燃比例弁を設置し、空燃比例弁はバーナダクトに接続した空気圧検出導管を通して検出される空気圧力に対応した開度に調節することで、燃焼用空気量に応じて燃料ガス供給量を調節するようにしている空燃比例制御予混合ガスバーナにおいて、
一端は前記の空気圧検出導管に接続し、他端は前記燃料ガス噴射口より一次側部分に接続した検出空気圧力調節管を設置しておき、空気圧検出導管での圧力はバーナダクトでの空気圧にベンチュリミキサでの圧力変化が加味されるようにしていることを特徴とする空燃比例制御予混合ガスバーナ。
【発明の詳細な説明】
【技術分野】
【０００１】
本発明は、燃焼用空気と燃料ガスを予め混合してバーナヘッドに供給し、バーナヘッドから予混合ガスを噴射しながら燃焼を行うようにしている予混合ガスバーナに関するものであって、燃料ガスを供給する燃料ガス供給配管には空燃比例弁、燃焼用空気を供給するバーナダクトにはベンチュリミキサを設置し、空燃比例弁で送風量に対応した量の燃料ガスを供給し、ベンチュリミキサにて燃料ガスと燃焼用空気を混合して燃焼するようにしている空燃比例制御予混合ガスバーナに関するものである。
【背景技術】
【０００２】
特許第２９５０１９６号公報に記載があるように、燃焼用空気と燃料ガスを予め混合しておき、予混合ガスを噴射しながら燃焼を行う予混合ガスバーナが知られている。ここで記載の予混合ガスバーナでは、ベンチュリ形状のガスミキサ部を設置している。ベンチュリミキサに燃料ガスを供給している前記構成の予混合ガスバーナでは、バーナダクトの上流端から供給される燃焼用空気は、ベンチュリミキサ部分で流速が高まり、圧力が低下するためガス噴出部から供給される燃料ガスは、燃焼用空気と効率よく予混合されるというものである。
【０００３】
このような予混合ガスバーナにおいて、燃料ガス供給配管に空燃比例弁を設置し、空燃比例弁によって燃料ガスの供給量を調節することも行われている。空燃比例弁は、バーナダクトを流れる燃焼用空気の圧力（空気流量）を検出し、空気圧力に基づいて燃料ガスの供給量を調節する。燃焼用空気供給量と燃料ガス供給量の比率にズレが発生すると燃焼が不安定になるため、空燃比例弁を設置して空燃比のズレが発生しないように燃料供給量を調節する。空燃比例弁で燃焼用空気の供給量に応じて燃料ガスの供給量を調節するようにしておくと、燃料ガスと燃焼用空気の比率を一定の範囲に保つことができ、適切な燃焼を行うことができる。
【０００４】
空燃比例弁は、送風量を増加することで空気圧が上昇していくと燃料供給量を増加していき、送風量を減少することで空気圧が低下すると燃料供給量を減少していくものであるが、送風量の増減に伴ってベンチュリミキサの吸い込み圧が増減しており、そのことによって空燃比にズレが発生することがあった。空気圧検出導管の圧力はベンチュリミキサでの吸い込み圧の増減により燃料ガスの流量が変化しても、その影響は伝わらず、燃焼量増加時にはガスリッチ、燃焼量減少時にはエアリッチとなり、燃焼状態が一時不安定になることがあった。
【先行技術文献】
【特許文献】
【０００５】
【特許文献１】特許２９５０１９６号公報
【発明の概要】
【発明が解決しようとする課題】
【０００６】
本発明が解決しようとする課題は、ベンチュリミキサと空燃比例弁を組み合わせている空燃比例制御予混合ガスバーナにおいて、燃焼量移行時に空燃比のズレが発生して燃焼が不安定になることを防止することにある。
【課題を解決するための手段】
【０００７】
送風機からの燃焼用空気を通すバーナダクトと、燃料ガスを通す燃料ガス供給配管を持ち、バーナダクトにはベンチュリミキサを設置してベンチュリミキサ部分に燃料ガス供給配管を接続し、ベンチュリミキサ内に設けた燃料ガス噴射口から燃料ガスを噴射して燃料ガスと燃焼用空気を混合し、バーナヘッド部で予混合ガスを燃焼するようにしている予混合ガスバーナであって、燃料ガス供給配管には途中に空燃比例弁を設置し、空燃比例弁はバーナダクトに接続した空気圧検出導管を通して検出される空気圧力に対応した開度に調節することで、燃焼用空気量に応じて燃料ガス供給量を調節するようにしている空燃比例制御予混合ガスバーナにおいて、
一端は前記の空気圧検出導管に接続し、他端は前記燃料ガス噴射口より一次側部分に接続した検出空気圧力調節管を設置しておき、空気圧検出導管での圧力はバーナダクトでの空気圧にベンチュリミキサでの圧力変化が加味されるようにしていることを特徴とする。
【０００８】
燃焼量増加時、送風量が増加すると空燃比例弁ではガス量を増加していくが、送風量が増えるとベンチュリミキサでの燃料ガスの吸引作用が強まり、空燃比例弁による開度増加以上に燃料供給量が増加し、燃焼量減少時も、送風量が減少するとベンチュリミキサでの燃料ガス吸引作用の低下により、送風量減少による空燃比例弁でのガス量減少以上に燃料供給量が減少していたため、燃料と空気の比率が崩れていた。空気圧検出導管とベンチュリミキサの間を検出空気圧力調節管で接続しておくと、空気圧検出導管での検出空気圧はベンチュリミキサによる吸引作用を加味したものとなる。燃焼量増加時はベンチュリミキサによる吸引量の増加分が差し引かれるために、空気圧検出導管での検出空気圧の上昇が少なくなって燃料供給量の増加が抑えられ、燃焼量減少時はベンチュリによる吸引量の減少分が空気圧検出導管での検出空気圧の下がり幅を縮小させ、燃料供給量の減少が抑えられることになるため、空燃比のズレを抑えることができる。
【発明の効果】
【０００９】
本発明を実施することで、空燃比例弁が検出するバーナダクトの空気圧力はベンチュリミキサによる吸引作用の増減を加味したものとなり、空燃比のズレを抑えることができる。
【図面の簡単な説明】
【００１０】
【図１】本発明を実施している空燃比例制御予混合ガスバーナのフロー図
【発明を実施するための形態】
【００１１】
本発明の一実施例を図面を用いて説明する。図１は本発明を実施している空燃比例予混合ガスバーナのフロー図である。
【００１２】
本発明の予混合ガスバーナは、燃料ガス供給配管８を通して供給してきた燃料ガスと、送風機９からバーナダクト１を通して供給してきた燃焼用空気を混合し、バーナヘッド２から予混合ガスを噴射して燃焼を行う。燃料ガスと燃焼用空気の混合は、燃焼用空気を通すバーナダクト１内に燃料ガスを噴射することで行うようにしている。送風機９から送られてきた燃焼用空気を流すバーナダクト１には、途中にバーナダクト内の流路面積を縮小した後に拡大するベンチュリミキサ３を設置している。ベンチュリミキサ３は、バーナダクト１と同心であって、燃焼用空気供給方向に先絞りとなる円錐台形部材、狭めた径の円筒形部材、燃焼用空気供給方向に先広がりとなる円錐台形部材からなる。先絞りとなる円錐台形部材の先側に、燃料ガスを燃焼用空気内に送る燃料ガス噴射口７を設置しており、燃料ガス噴射口７へ燃料ガスを送る燃料ガス供給配管８を接続しておく。
【００１３】
バーナダクト１では、ベンチュリミキサ３で流路面積を一旦縮小した後に拡大しているため、バーナダクト内を流れてきた予混合ガス流は、ベンチュリミキサ３の部分で流速が上がり、圧力は低くなる。圧力低下部に燃料ガス噴射口７を設けておくと、圧力低下によって燃料ガス噴射口７から燃料ガスを吸引する作用が発生する。
【００１４】
燃料ガス供給配管８の途中には、燃料ガスの供給量を調節する空燃比例弁６を設置する。空燃比例弁６は、バーナダクト１との間を空気圧検出導管４で接続しており、空気圧検出導管４によって検出されるバーナダクト１内を流れる燃焼用空気（混合ガス）の圧力に基づいて弁の開度を調節する。空燃比例弁６では、燃料ガスと燃焼用空気の比率が所定の値となるように空気圧検出導管４での空気圧力に対応する燃料ガス供給量となる開度を設定しておいて燃料ガス供給量を調節する。バーナダクト１内を流れる燃焼用空気量が多くなると、空気圧検出導管４に伝わる空気圧力が上昇するため、空気圧検出導管４によって伝えられるバーナダクト１での空気圧力が高くなると空燃比例弁６での開度を大きくし、空気圧力が低くなると空燃比例弁６での開度を小さくすることで、燃料ガスと燃焼用空気の比率である空気比を所定の値に保つようにする。
【００１５】
また空気圧検出導管４には、空気圧検出導管４から分岐してベンチュリミキサ３の燃料ガス噴射口７より一次側部分であるベンチュリミキサ３部分、もしくは燃料ガス供給配管８部分につなぐ検出空気圧力調節管５を設けておく。検出空気圧力調節管５を設けておくことにより、ベンチュリミキサ３の圧力が空気圧検出導管４の圧力より低くなると、空気圧検出導管４からベンチュリミキサ３に向かう空気の流れが発生するため、空気圧検出導管４での空気圧力は低下することになる。
【００１６】
このバーナでは、燃焼用空気の供給量を変更することで燃焼負荷の変更を行う。燃焼用空気供給量の変更は、送風機９に回転速度調節機構を設けての送風機の回転数を調節や、バーナダクト１の途中にダンパ装置を設けてダンパ角度の調節によって行う。大きな燃焼量が必要な場合、燃焼用空気供給量を大きくする。バーナダクト１内を流れる燃料用空気量が増加すると、空気圧検出導管４に伝わる圧力が上昇し、空燃比例弁６では上昇した空気圧力に対応する開度となるように弁を開くことで燃料ガス供給量が増加する。この時、空気圧検出導管４での空気圧力と対応する空燃比例弁６での開度を１対１で設定しておいて空燃比例弁６の開度を調節することで、燃料ガスと燃焼用空気の比率は一定の値とすることができるはずであるが、燃焼量の変更時にズレが生じることになっていた。
【００１７】
これは、燃焼量を増加するために燃焼用空気の供給量を増加した場合、ベンチュリミキサ３では空気流量の増加によって流速が拡大し、ベンチュリミキサ３が吸引する燃料ガス量が大きくなることによる。空燃比例弁６での開度が一定であっても、ベンチュリミキサ３での流速が増加するとベンチュリミキサ３が吸引する燃料ガス量は大きくなり、燃料ガス供給配管８ではより多くの燃料ガスが流れるため燃料ガスの割合が大きくなるガスリッチとなる。
【００１８】
ここで空気圧検出導管４とベンチュリミキサ３をつなぐ検出空気圧力調節管５を設けておくと、ベンチュリミキサ３では圧力が低いため、空気圧検出導管４からベンチュリミキサ３へ空気が流れ、空気圧検出導管４での圧力は低下する。この検出空気圧力調節管５を通して流れる空気量は、ベンチュリミキサ３での流速増加によって圧力が低くなるほど増加する。バーナダクト１内を流れる空気量の増加によって空気圧検出導管４での圧力は上昇するが、ベンチュリミキサ３での圧力低下が大きくなることで検出空気圧力調節管５を流れる空気量が増加すると、その分は空気圧検出導管４での圧力上昇から差し引かれるため、圧力上昇が抑えられる。そのため、空燃比例弁６での開度の拡大が抑えられ、燃料ガス供給量は少な目の量となるためガスリッチになることが防止される。
【００１９】
逆に燃焼量を減少するために燃焼用空気の供給量を減少した場合、ベンチュリミキサ３では空気流量の減少によって流速が減少し、ベンチュリミキサ３が吸引する燃料ガス量が小さくなる。この場合には、空燃比例弁６での開度が一定であっても、ベンチュリミキサ３での流速が低下することでベンチュリミキサ３が吸引する燃焼ガス量が少なくなり、その分も燃料ガス流量が減少してエアリッチの状態となっていた。
【００２０】
ここでも空気圧検出導管４とベンチュリミキサ３をつなぐ検出空気圧力調節管５を設けておくことで、燃料ガス供給量を調節することができる。ベンチュリミキサ３では圧力が低いため、空気圧検出導管４からベンチュリミキサ３へ空気が流れ、空気圧検出導管４での圧力は低下する。しかしこの検出空気圧力調節管５を通して流れる空気量は、ベンチュリミキサ３での流速低下によって圧力低下が小さくなると減少する。
【００２１】
バーナダクト１内を流れる空気量の減少によって空気圧検出導管４での圧力は低下するが、ベンチュリミキサ３での圧力低下が小さくなると検出空気圧力調節管５を通してベンチュリミキサ３へ流れる空気量が減少し、その分空気圧検出導管４での圧力低下が抑えられる。そのため、空燃比例弁６での開度の縮小が抑えられ、燃料ガス供給量は多目の量となるためエアリッチになることが防止される。
【００２２】
上記のようにすることで、空燃比例弁６による燃料ガス供給量の調節は送風量の増減に伴うベンチュリミキサでの吸い込み量の増減を加味させることができ、ベンチュリミキサ３による燃料ガス吸引量の増減による空燃比のズレを打ち消す方向の作用が得られる。そのため、燃焼移行時の空燃比のズレを防止することができ、燃焼移行時の燃焼を安定させることができる。
【００２３】
なお、本発明は以上説明した実施例に限定されるものではなく、多くの変形が本発明の技術的思想内で当分野において通常の知識を有する者により可能である。例えば実施例の図では、空気圧検出導管４はバーナダクト１のベンチュリミキサ３より下流に接続しているが、空気圧検出導管４のベンチュリミキサ３より上流側に接続しても同様の作用を得ることができる。
【符号の説明】
【００２４】
１  バーナダクト  
２  バーナヘッド
３  ベンチュリミキサ
４  空気圧検出導管
５  検出空気圧力調節管
６  空燃比例弁
７  燃料ガス噴射口
８  燃料ガス供給配管
９  送風機
【図１】
2019174040.tif 000003